(57)【要約】      （修正有）【課題】金子を入れた使用中は二つ折りにし、使用後の袱紗は極めてコンパクトな四つ折りに折り畳んで、胸内ポケットやハンドバックの小スペース内に入れることを可能にした利便性のある機能の金封袱紗を提供する。【解決手段】金子台１０１と蓋１０２は繋ぎ目に折り目１０３−１を付けて二折り畳み可能にし、前記金子台の裏に金子入れポケット１０４を形成した金封袱紗１００において、前記金子台と前記蓋の各々に更に二折り用の折り目１０３−２、１０３−３を付けて内折可能にすると共に、前記金子台に一つ目の折り部１０５−１と二つ目の折り部１０５−２を前記蓋に三つ目の折り部１０５−３と四つ目の折り部１０５−４を夫々形成して、四つの折り畳みを可能にし、前記金子入れポケットを前記金子台の一つ目の折り部に直接又はマチＭを介して接続形成した。【選択図】図１
0003215444.tif 000002
【実用新案登録請求の範囲】
【請求項１】
金子台（１０１、２０１）と蓋（１０２、２０２）は繋ぎ目に折り目（１０３−１、２０３−１）を付けて二折り畳み可能にし、前記金子台（１０１、２０１）の裏に金子入れポケット（１０４、２０４）を形成した金封袱紗において、前記金子台（１０１、２０１）と前記蓋（１０２、２０２）各々に更に二折り用の折り目（１０３−２、２０３−２）（１０３−３、２０３−３）を付けて内折可能にすると共に、前記金子台（１０１、２０１）に一つ目の折り部（１０５−１、２０５−１）と二つ目の折り部（１０５−２、２０５−２）を前記蓋（１０２、２０２）に三つ目の折り部（１０５−３、２０５−３）と四つ目の折り部（１０５−４、２０５−４）を形成して、四つの折り畳みを可能にし、前記金子入れポケット（１０４、２０４）を前記金子台（１０１、２０１）の一つ目の折り部（１０５−１、２０５−１）に形成したことを特徴とする金封袱紗。
【請求項２】
前記金子台（１０１、２０１）の前記折り目（１０３−２、１０３−２）と、金子台（１０１、２０１）と蓋（１０２、２０２）との繋ぎ目の折り目（１０３−１、２０３−１）と、前記蓋（１０２、２０２）の折り目（１０３−３、２０３−３）との順に、折り目幅を漸増して形成したことを特徴とする請求項１に記載の金封袱紗。
【請求項３】
前記金子入れポケット（１０４、２０４）の両サイドを前記一つ目の折り部（１０５−１、２０５−１）に直接又はマチ（Ｍ）を介して接続することを特徴とする請求項１又は請求項２に記載の金封袱紗。
【考案の詳細な説明】
【技術分野】
【０００１】  本考案は、金封袱紗に関するものである。
【背景技術】
【０００２】  袱紗は、元来，柔らかな手触りのよいことを指し，《日葡辞書》では〈袱紗物〉〈袱紗絹〉などとともに〈袱紗な人〉（物柔らかで人あたりのよい人）の用例もある。
その上で、袱紗は、元々貴重品などが収蔵された箱上に掛けられ、服紗小袖，袱紗帯のごとく柔らかな絹布製の風呂敷であった。【０００３】  その風呂敷が贈答品を運ぶ時の汚れや日焼け防止として用いられるようになり１枚の布地から裏地付きの絹製で四方に亀房と呼ばれる房付きのものに変わり、慶弔行事の数珠納め、金品を贈る時の儀礼や心遣いとして広ふた（黒塗りの盆）と併せて用いられるようになった。【０００４】  また一般に茶の湯では方形の縮緬や絹布を言う。袱紗に関する背景はこのようであるが、現在は、台・爪付の小型の風呂敷タイプの他に、特許文献１に記載のような２つ折りや三つ折りタイプの金封袱紗、左開きの弔事（お悔やみ）袱紗、右開きの慶事（お祝い）袱紗やお見舞袱紗が多く市販され利用されている。【０００５】  因みに、風呂敷タイプ袱紗の場合、数珠や熨斗袋（筒）を包む場合は結婚式などの慶事には右前に包み、葬儀など弔事には左前に包む。
祝儀袋（筒）の包み方は祝儀袋（筒）を中心より少し左の方へ寄せておき左側を中に折り込み上側をたたみ、次に下側をたたみ右側を折り裏へ折り返す。不祝儀袋（筒）の包み方は、不祝儀袋（筒）を中心より少し右の方へ寄せておき右側を中に折り込み下側をたたみ、次に上側をたたみ左側を折り裏へ折り返す。袱紗の用途と色様々な色のものがあり、暖色系の明るい色は慶事用、寒色系の沈んだ色は弔事用、紫色はどちらにも使える。
【考案の開示】
【考案が解決しようとする課題】
【０００６】  一般に、ふくさは、数珠や熨斗袋（筒）の水引が崩れたり袋（筒）が皺になることを防ぐために使用し、また先方の心中や祭礼を重んじ、喜びや悲しみを共にする気持ちを表わすものである。つまり数珠や熨斗袋（筒）で金封した上でなおかつ袱紗で包むという肌理細やかな心遣いである。
このような慶弔事に際し、袱紗に金封を包んで胸内ポケットやハンドバックに入れて先方様の式場までに持参して袱紗から金封をだしてお渡しした後は、袱紗を再び胸ポケットやハンドバックに入れて持ち帰ることになるが、式場での交換名刺等多少の持ち帰り品が多くなり袱紗自体の収納スペースが狭くなり余裕の無いものとなる。【０００７】  類似のものとして用途は本願考案とは、目的がメガネケースで構成が三つ折り畳でその作用効果が異なるが、特開２０１６−１７４７１８号公報（２０１７．２．１９拒絶査定）の発明がある。
この発明は、メガネを入れた状態及びメガネを使用中のケース状態はいずれも同じ三つ折り畳み状態で、コンパクト化を意図にしたものではない。【０００８】  本考案は、金子を入れた使用中は二つ折りにし、使用後の袱紗は極めてコンパクトな四つ折りに折り畳んで、胸内ポケットやハンドバックの小スペース内に入れることを可能にした利便性のある機能の金封袱紗を提供する。
【課題を解決するための手段】
【０００９】  上記課題を満足させる本考案の主な技術構成は、図１〜図６に示す実施例１及び実施例２に記載の袱紗の符号を併記して記載すると次の（１）の通りである。【００１０】  （１）、金子台（１０１、２０１）と蓋（１０２、２０２）は繋ぎ目に折り目（１０３−１、２０３−１）を付けて二折り畳み可能にし、前記金子台（１０１、２０１）の裏に金子入れポケット（１０４、２０４）を形成した金封袱紗において、前記金子台（１０１、２０１）と前記蓋（１０２、２０２）各々に更に二折り用の折り目（１０３−２、２０３−２）（１０３−３、２０３−３）を付けて内折可能にすると共に、前記金子台（１０１、２０１）に一つ目の折り部（１０５−１、２０５−１）と二つ目の折り部（１０５−２、２０５−２）を前記蓋（１０２、２０２）に三つ目の折り部（１０５−３、２０５−３）と四つ目の折り部（１０５−４、２０５−４）を形成して、四つの折り畳みを可能にし、前記金子入れポケット（１０４、２０４）を前記金子台（１０１、２０１）の一つ目の折り部（１０５−１、２０５−１）に形成したことを特徴とする金封袱紗。【００１１】  （２）、前記金子台（１０１、２０１）の前記折り目（１０３−２、１０３−２）と、金子台（１０１、２０１）と蓋（１０２、２０２）との繋ぎ目の折り目（１０３−１、２０３−１）と、前記蓋（１０２、２０２）の折り目（１０３−３、２０３−３）との順に、折り目幅を漸増して形成したことを特徴とする（１）に記載の金封袱紗。【００１２】  （３）、前記金子入れポケット（１０４、２０４）の両サイドを前記一つ目の折り部（１０５−１、２０５−１）に直接又はマチ（Ｍ）を介して接続することを特徴とする前記（１）又は（２）に記載の金封袱紗。
【考案の効果】
【００１３】  本考案の金封袱紗は、前記金子台と前記蓋の全体を四つ折り畳可能にし、且つ前記金子入れポケット（１０４、２０４）を前記一つ目の折り部（１０５−１、２０５−１）に形成し、折り目幅を前記折り目（１０３−２、２０３−２）、前記折り目（１０３−１、２０３−１）、前記折り目（１０３−３、２０３−３）の順に漸増して形成したため、使用後は図３及び図６に示すように極めてコンパクトな四つ折り畳みの状態にして、胸内ポケットやハンドバックの小スペース内に目立たないように入れることを可能にした利便性機能の高い金封袱紗である。
例えば、結婚式、弔問等の際、金子台１０１裏の金子入れポケット（１０４、２０４）に金子（Ｋ１、Ｋ２）を入れて二折りにして持参し、袱紗から金封を出してお渡しした後は、袱紗を内巻き状に四つ折りにして折り畳んで嵩張らないコンパクトにし、胸内ポケットやハンドバックに入れて持ち帰ることができる。
また、未使用期間も、四つ折りに折り畳んでコンパクトにして、ご家庭内等の所定の場所に整理良く収容することが出来る。
【図面の簡単な説明】
【００１４】
【図１】本考案の金封袱紗の実施例１の全体を開いて金子を入れた状態を示す平面説明図である。
【図２】図１に示す金封袱紗において、二つ折り畳んだ状態を示す平面説明図である。
【図３】図２の示す金封袱紗から金子を抜き取り後に、四つ折りに畳んだ状態を示す平面説明図（１）であり、（２）は（１）の矢視Ａ−Ａからの横断面説明図である。
【図４】本考案の金封袱紗の実施例２の全体を開いて金子Ｋ１を入れた状態を示す平面説明図である。
【図５】図４に示す金封袱紗において、二つ折り畳んだ状態を示す平面説明図である。
【図６】図５の示す金封袱紗から金子Ｋ２を抜き取り後に、四つ折りに畳んだ状態を示す平面説明図（１）であり、（２）は（１）の矢視Ｂ−Ｂからの横断面説明図である。
【考案を実施するための形態】
【００１５】  本考案の実施するための形態を以下に記載の実施例１及び実施例２により具体的に紹介する。
【実施例１】
【００１６】  図１〜図３に実施例１を示す。
図１は本考案の金封袱紗の実施例１の全体を内側に開いて金子Ｋ１を入れた状態を示す平面説明図である。図２は、図１に示す金封袱紗１００において、二つ折り畳んだ状態を示す平面説明図である。図３は図２の示す金封袱紗から金子Ｋ１を抜き取り後に、四つ折りに畳んだ状態を示す平面説明図（１）であり、（２）は（１）の矢視Ａ−Ａからの横断面説明図である。【００１７】  図１〜図３において、金封袱紗１００は布製で、金子台１０１と蓋１０２は繋ぎ目に折り目１０３−１を付けて二折り畳み可能にし、前記金子台１０１の裏に金子入れポケット１０４を形成している。
前記金子台１０１と前記蓋１０２は、更に二折り用の折り目１０３−２、１０３−３を付けて内折可能にすると共に、前記金子台１０１に一つ目の折り部１０５−１と二つ目の折り部１０５−２を前記蓋１０２に三つ目の折り部１０５−３と四つ目の折り部１０５−４を形成する。
前記各折り部は、図３の（２）に示すように内部に厚紙やプラスチックプレート等の骨プレートＳ１を埋設してある。【００１８】  これで金封袱紗１００は、前記金子台１０１の一つ目の折り部１０５−１から二つ目の折り部１０５−２に、次いで前記蓋１０２の、三つ目の折り部１０５−３から四つ目の折り部１０５−４と順に折り畳んで、図３に示す四つ折りにする。
前記金子入れポケット１０４は、その両サイドを一つ目の折り部１０５−１に直接接続させて金子Ｋ２の収容容量を少なめにしてある。
叉、四つ目の折り部１０５−４は先端縁を直線にしたデザインとしてある。
【実施例２】
【００１９】  図４〜図６に実施例１を示す。
図４は本考案の金封袱紗の実施例２の全体を内側を開いて金子Ｋ２を入れた状態を示す平面説明図である。図５は、図４に示す金封袱紗において、二つ折り畳んだ状態を示す平面説明図である。図６は、図５の示す金封袱紗から金子Ｋ２を抜き取り後に、四つ折りに畳んだ状態を示す平面説明図（１）であり、（２）は（１）の矢視Ｂ−Ｂからの横断面説明図である。【００２０】  図４〜図６において、金封袱紗２００は布製で、金子台２０１と蓋２０２は繋ぎ目に折り目２０３−１を付けて二折り畳み可能にし、前記金子台２０１の裏に金子入れポケット２０４を形成している。、前記金子台２０１と前記蓋２０２は、更に二折り用の折り目２０３−２、２０３−３を付けて内折可能にすると共に、前記金子台２０１に一つ目の折り部２０５−１と二つ目の折り部２０５−２を前記蓋２０２に三つ目の折り部２０５−３と四つ目の折り部２０５−４を形成する。
前記各折り部は、図６の（２）に示すように内部に厚紙やプラスチックプレート等の骨プレートＳ２を埋設してある。【００２１】  これで金封袱紗２００は、前記金子台２０１の一つ目の折り部２０５−１から二つ目の折り部２０５−２に、次いで前記蓋２０２の三つ目の折り部２０５−３から四つ目の折り部２０５−４と順に折り畳んで、図６に示すコンパクトな四つ折りにする。
前記金子入れポケット２０４は、その両サイドを一つ目の折り部２０５−１にマチＭを介して接続させて金子Ｋ２の収容容量を大きくしてある。
叉、四つ目の折り部２０５−４は先端縁を凸湾曲したデザインとしてある。
【産業上の利用可能性】
【００２２】  本考案は、前述の優れた作用効果を呈する為、慶弔袱紗を利用する一般社会人はもとより、慶弔袱紗の製造・販売業界に貢献すること多大なものがある。
【符号の説明】
【００２３】  １００、２００：金封袱紗
１０１、２０１：金子台
１０２、２０２：蓋
１０３−１、２０３−１：金子台と蓋の繋ぎ目の折り目
１０３−２、２０３−２：金子台内の二折り用の折り目
１０３−３、２０３−３：蓋内の二折り用の折り目
１０４、２０４：金子入れポケット
１０５−１、２０５−１：一つ目の折り部
１０５−２、２０５−２：二つ目の折り部
１０５−３、２０５−３：三つ目の折り部
１０５−４、２０５−４  四つ目の折り部
Ｋ１，Ｋ２：金子
Ｍ：マチ
Ｓ１，Ｓ２：厚紙やプラスチックプレートの骨プレート
【図１】
0003215444.tif 000003
【図２】
0003215444.tif 000004
【図３】
0003215444.tif 000005
【図４】
0003215444.tif 000006
【図５】
0003215444.tif 000007
【図６】
0003215444.tif 000008